Podtech/llm-jp-corpus-v4-ja_patent huggingface dataset:
【手続補正書】
【提出日】平成19年7月4日(2007.7.4)
【手続補正１】
【補正対象書類名】特許請求の範囲
【補正対象項目名】全文
【補正方法】変更
【補正の内容】
【特許請求の範囲】
【請求項１】
ハードウェア乱数発生器（ＲＮＧ）であって、
第１状態と第２状態の連続するビットを含む入力ビット・ストリームを提供する源と、
第１入力と第１出力を含む第１デジタル補正器とを備え、
前記補正器は、第１方式に従って、前記第１出力において、前記入力ビット・ストリームの２つの連続するビットから第１出力ビット・ストリームの出力ビットを提供するように構成され、第１状態（ｐ）の第１ビットおよび前記第１状態（ｐ）の第２ビットは第３状態（ｃ）の出力ビットをもたらし、前記第１状態（ｐ）の第１ビットおよび第２状態（ｑ）の第２ビットは第４状態（ｃ’）の出力ビットをもたらし、前記第３および第４状態は互いに反転し、前記第３状態は、前記第１状態と第２状態の一方に等しく、前記第２状態（ｑ）の第１ビットおよび前記第１状態（ｐ）の第２ビットは出力ビットをもたらさず、前記第２状態（ｑ）の第１ビットおよび前記第２状態（ｑ）の第２ビットは出力ビットをもたらさないようになっているハードウェア乱数発生器。
【請求項２】
前記第１補正器の前記第１出力は、第２デジタル補正器の第１入力に接続され、前記第２デジタル補正器は、第１出力を備え、第２方式に従って、前記第１出力において、前記第２補正器の前記第１入力における２つの連続するビットから第２出力ビット・ストリームの出力ビットを提供するように構成され、第１状態（ｐ）の第１ビットおよび第２状態（ｑ）の第２ビットは第３状態（ｃ）の出力ビットをもたらし、前記第２状態（ｑ）の第１ビットおよび前記第１状態（ｐ）の第２ビットは第４状態（ｃ’）の出力ビットをもたらし、前記第３および第４状態は互いに反転し、前記第３状態は、前記第１状態と第２状態の一方に等しく、前記第１状態（ｐ）の第１ビットおよび前記第１状態（ｐ）の第２ビットは、前記第２出力ビット・ストリームの出力ビットをもたらさず、前記第２状態（ｑ）の第１ビットおよび前記第２状態（ｑ）の第２ビットは、前記第２出力ビット・ストリームの出力ビットをもたらさず、それによって、前記第２出力ビット・ストリームの連続するビットが、互いに独立であり、かつ、不偏であることを確保する請求項１に記載のＲＮＧ。
【請求項３】
前記源は、出力とｆ０のカットオフ周波数を有するアナログハイパス増幅器の入力に接続された出力を有する白色雑音生成要素を備えるエントロピー源から成る請求項１または２に記載のＲＮＧ。
【請求項４】
前記ハイパス・フィルタの前記出力は、出力を有する電圧レベル弁別回路の入力に接続される請求項３に記載のＲＮＧ。
【請求項５】
前記レベル弁別回路の前記出力は、フリップフロップの第１入力に接続されて、前記フリップフロップの出力において前記入力ビット・ストリームを生成する請求項４に記載のＲＮＧ。
【請求項６】
アナログ電圧レベル補償回路は、前記電圧レベル弁別回路の前記入力に設けられる請求項４および５のいずれか１項に記載のＲＮＧ。
【請求項７】
前記補償回路は、１／ｆ０より小さいＲＣ時定数を有するＲＣ回路を備える請求項６に記載のＲＮＧ。
【請求項８】
前記第１デジタル補正器の前記第１出力に接続された入力を備えるガウス発生器を備え、前記ガウス発生器は、ｉ個の順次ビットであって、それぞれが前記補正器機構から受け取られる、ｉ個の順次ビットのｊ個のワードの和を生成する加算器機構と、前記和と前記和のミーン値の差を導出する減算器機構と、前記差を標準偏差で割る除算器機構を備え、それによって、前記ガウス発生器の出力において、ガウス偏倚を生成する請求項１乃至７のいずれか１項に記載のＲＮＧ。
【請求項９】
ランダム・ビット・ストリームを生成する方法であって、
第１状態と第２状態の連続するビットを含む入力ビット・ストリームを提供する源を利用する工程と、
第１入力と第１出力を含む第１ハードウェア・デジタル補正器を利用する工程であって、それによって、第１方式に従って、前記第１出力において、前記入力ビット・ストリームの２つの連続するビットから第１出力ビット・ストリームの出力ビットを提供する、利用する工程とを含み、第１状態（ｐ）の第１ビットおよび前記第１状態（ｐ）の第２ビットは第３状態（ｃ）の出力ビットをもたらし、前記第１状態（ｐ）の第１ビットおよび第２状態（ｑ）の第２ビットは第４状態（ｃ’）の出力ビットをもたらし、前記第３および第４状態は互いに反転し、前記第３状態は、前記第１状態と第２状態の一方に等しく、前記第２状態（ｑ）の第１ビットおよび前記第１状態（ｐ）の第２ビットは出力ビットをもたらさず、前記第２状態（ｑ）の第１ビットおよび前記第２状態（ｑ）の第２ビットは出力ビットをもたらさないようになっている方法。
【請求項１０】
入力と出力を備える第２デジタル補正器は、前記第１補正器と直列に利用され、前記第２補正器は、第２方式に従って、前記第１出力において、前記第２補正器の前記第１入力における２つの連続するビットから第２出力ビット・ストリームの出力ビットを提供するのに使用され、第１状態（ｐ）の第１ビットおよび第２状態（ｑ）の第２ビットは第３状態（ｃ）の出力ビットをもたらし、前記第２状態（ｑ）の第１ビットおよび前記第１状態（ｐ）の第２ビットは第４状態（ｃ’）の出力ビットをもたらし、前記第３および第４状態は互いに反転し、前記第３状態は、前記第１状態と第２状態の一方に等しく、前記第１状態（ｐ）の第１ビットおよび前記第１状態（ｐ）の第２ビットは、前記第２出力ビット・ストリームの出力ビットをもたらさず、前記第２状態（ｑ）の第１ビットおよび前記第２状態（ｑ）の第２ビットは、前記第２出力ビット・ストリームの出力ビットをもたらさず、それによって、前記第２出力ビット・ストリームの連続するビットが、互いに独立であり、かつ、不偏であることを確保する請求項９に記載の方法。
【手続補正書】
【提出日】平成19年7月25日(2007.7.25)
【手続補正１】
【補正対象書類名】特許請求の範囲
【補正対象項目名】全文
【補正方法】変更
【補正の内容】
【特許請求の範囲】
【請求項１】
導電性基板上にパターンを形成するための要素であって、
該要素が支持体を含み、該支持体上には、
a)  導電性ポリマー、ポリアニオン及び導電率増強剤を含有する導電性層と、
b)  熱移動性材料を含有する混合層と
が配置されており、
該混合層を像様加熱すると、該熱移動性材料が該導電性層と混合し、これにより、該導電性層の初期の表面抵抗率(SR)を、105Ω/□よりも低い初期値SRiからSRiΔ（Δは102以上である）に像様に増大させる要素。
【手続補正書】
【提出日】平成19年7月24日(2007.7.24)
【手続補正１】
【補正対象書類名】特許請求の範囲
【補正対象項目名】全文
【補正方法】変更
【補正の内容】
【特許請求の範囲】
【請求項１】
伝導性ポリマー層に電極パターンを形成する方法であって、
（ａ）電荷パターンに、キャリヤと前記電荷パターンの極性と反対の極性を有するマーキング粒子を含んで成るエレクトログラフィ現像剤組成物を接触させることにより現像画像パターンを生成させる工程であって、前記マーキング粒子が伝導度調節剤またはその前駆体を含む工程；
（ｂ）前記現像画像パターンを、支持体上の電気伝導性ポリマーとポリアニオンを含む伝導性層に適用する工程；および
（ｃ）前記画像パターンを前記伝導性層に転写する工程；
を含む方法。
【手続補正書】
【提出日】平成19年8月9日(2007.8.9)
【手続補正１】
【補正対象書類名】特許請求の範囲
【補正対象項目名】全文
【補正方法】変更
【補正の内容】
【特許請求の範囲】
【請求項１】
導電性ポリマーを含有する有機導電性高分子層、及び該導電性層と接触する導電性増強剤を含有する印刷溶液のパターンが上に配置されている支持体を含む要素であって、
該印刷溶液パターンと接触している該導電性層の領域の低効率が、該印刷溶液パターンと接触していない該導電性層の領域に対して10分の1以下に低下する、要素。
【請求項２】
該印刷溶液パターンと接触する領域の抵抗率が、1000分の1以下に低下する、請求項1に記載の要素。
【請求項３】
該導電率増強剤が、ジヒドロキシ基、ポリ-ヒドロキシ基、カルボキシル基、アミド基、又はラクタム基を含有する有機化合物である、請求項1又は2に記載の要素。
【請求項４】
該導電性ポリマーを含有する該層が：
a)  式I：
【化１】
2007503692.tif 000001
に従うポリチオフェン
(上記式中、R1及びR2はそれぞれ独立して、水素又はC1-C4アルキル基を表し、或いは一緒になって、随意選択的に置換されているC1-C4アルキレン基又はシクロアルキレン基、随意選択的にアルキル置換されているメチレン基、随意選択的にC1-C12アルキル-又はフェニル置換されている1,2-エチレン基、1,3-プロピレン基、又は1,2-シクロヘキシレン基を表し、そしてnは5〜1000である);
b)  ポリアニオン化合物；及び随意選択的に、
c)  塗膜形成高分子バインダー
を含有する混合物を含む、請求項1,2又は3に記載の要素。
【請求項５】
支持体上に電極パターンを生成する方法であって、
該支持体に、導電性ポリマーを含有する有機導電性高分子層を塗布する工程；および
印刷溶液パターンと接触される該導電性層の領域の抵抗率が、該印刷溶液パターンと接触されない該導電性層の領域に対して10分の1以下に減少するように、導電率増強剤を含有する印刷溶液を使用して、前記導電性層上にパターンを印刷する工程、
を含んでなる方法。
【手続補正書】
【提出日】平成19年7月25日(2007.7.25)
【手続補正１】
【補正対象書類名】特許請求の範囲
【補正対象項目名】全文
【補正方法】変更
【補正の内容】
【特許請求の範囲】
【請求項１】
基板上に導電性パターンを形成する要素であって、該要素は支持体を含み、該支持体上には、1つ又は2つ以上の光パターン形成可能な導電性層が配置されており、
各光パターン形成可能な層が：
a)導電性ポリマー及び随意選択のバインダーと；
b)導電率増強改質剤又は導電率低下改質剤を含有するマイクロカプセル封入型の光硬化可能粒子と
を含み、該マイクロカプセル封入型の光硬化可能粒子が、該導電性ポリマーに極めて近接している。
【請求項２】
基板上に導電性パターンを形成する要素であって、該要素は支持体を含み、該支持体上には、
a)導電性ポリマー及び随意選択の高分子バインダーを含む1つ又は2つ以上の導電性層と；
b)1つ以上の光パターン形成可能な層と
が配置されており、
各光パターン形成可能な層が、導電率増強改質剤又は導電率低下改質剤を含有するマイクロカプセル封入型の光硬化可能粒子を含み、該光硬化可能層が、該導電性層に極めて近接している。
【手続補正書】
【提出日】平成19年7月23日(2007.7.23)
【手続補正１】
【補正対象書類名】特許請求の範囲
【補正対象項目名】全文
【補正方法】変更
【補正の内容】
【特許請求の範囲】
【請求項１】
ビデオディスプレイと、前記ビデオディスプレイに接続された外部電気接続とを含むホストディスプレイ装置と共に使用するカートリッジにおいて、前記カートリッジは、
前記外部電気接続に電気的に接続しているコネクタと、
ビデオ信号の暗号化及び圧縮されたデジタル表現と前記ホストディスプレイ装置によって実行されるコンピュータコードを保存するメモリと、
前記メモリに接続された圧縮解除プロセッサと、
前記メモリに接続された暗号解読プロセッサと、
前記メモリ、前記圧縮解除プロセッサ、前記暗号解読プロセッサ、及び前記コネクタに接続されたインターフェイスプロセッサと、
を備え、
前記インターフェイスプロセッサは、前記コンピュータコードを前記ホストディスプレイ装置にアップロードすることにより、前記コネクタを介して出力されたビデオ信号を前記ビデオディスプレイに伝達するように前記ホストディスプレイ装置に対して命令し、
前記圧縮解除プロセッサ、暗号解読プロセッサ、及び前記インターフェイスプロセッサは、前記ビデオ信号の暗号化及び圧縮されたデジタル表現を、前記コネクタを介して前記ホストディスプレイ装置に出力されるビデオ信号に変換する、カートリッジ。
【請求項２】
請求項１に記載のカートリッジにおいて、単一の集積回路が、前記圧縮解除プロセッサ、前記暗号解読プロセッサ、及び前記インターフェイスプロセッサを備える、カートリッジ。
【請求項３】
請求項１に記載のカートリッジにおいて、単一の集積回路が、前記メモリ、前記圧縮解除プロセッサ、前記暗号解読プロセッサ、及び前記インターフェイスプロセッサを備える、カートリッジ。
【請求項４】
請求項１に記載のカートリッジにおいて、前記ホストディスプレイ装置によって受信されたユーザー入力が、前記コネクタを通じて前記インターフェイスプロセッサによって受信される、カートリッジ。
【請求項５】
メモリカードフォーマット標準に適合するハウジングを備えるマルチメディアカードであって、前記ハウジングは、
プロセッサと、
前記プロセッサに接続され、アプリケーションとマルチメディアデータを記憶するメモリと、さらに
前記プロセッサに接続され、前記メモリカードフォーマット標準に適合する外部コネクタと、を備え、
前記プロセッサは前記アプリケーションを実行し、前記アプリケーションの制御下で前記マルチメディアデータにアクセスし、前記アプリケーションの制御下で前記外部コネクタに、ディスプレイ信号およびオーディオ信号からなる１個の以上のグループを出力する、マルチメディアカード。
【請求項６】
ディスプレイと、
前記ディスプレイに接続され前記ディスプレイに送出される信号を制御するためのプロセッサと、
前記プロセッサに接続され、ユーザーの行動に応答してコマンドを生成するユーザーインプットと、
前記プロセッサに接続されたマルチメディアソケットと、を備え、
前記プロセッサは前記ユーザーインプットからのコマンドを前記マルチメディアソケットに送出し、前記マルチメディアソケットから受信したビデオ信号を前記プロセッサによる前記ビデオ信号の大幅な操作を伴わずに前記ディスプレイに送出する、テレビジョン。
【請求項７】
ディスプレイ信号を受信するためのディスプレイインプットを有するディスプレイと、
ユーザーの行動に応答して信号を生成するユーザーコマンドアウトプットを有するユーザーインプットと、
前記ディスプレイのディスプレイインプットと前記ユーザーインプットの前記ユーザーコマンドアウトプットとに接続され、ディスプレイ信号を受信するマルチメディアソケットと、を備え、
前記ユーザーインプットによって生成された前記信号は実質的に変更なく前記マルチメディアソケットに送出され、前記マルチメディアソケットで受信された前記ディスプレイ信号は実質的に変更なく前記ディスプレイに送出される、装置。
【請求項８】
ディスプレイと、
前記ディスプレイに接続されたディスプレイコントローラと、さらに
前記ディスプレイコントローラに接続され、アプリケーションを実行するカードプロセッサを含むマルチメディアカードに取り外し可能に接続する外部コネクタであって、前記外部コネクタは、前記カードプロセッサによって生成されたディスプレイ出力を受信し前記ディスプレイコントローラに前記ディスプレイ出力を送出する、外部コネクタと、を備え、
アプリケーションを実行するプロセッサを含まない、メディアプレーヤ。
【請求項９】
ディスプレイと、
前記ディスプレイに接続されたディスプレイコントローラと、
前記ディスプレイコントローラに接続された補助プロセッサと、さらに
前記ディスプレイコントローラと前記補助プロセッサとに接続された外部コネクタであって、前記外部コネクタは、アプリケーションを実行するカードプロセッサを含むマルチメディアカードに取り外し可能に接続し、前記カードプロセッサによって生成されたディスプレイ出力を受信し、前記ディスプレイ出力を前記ディスプレイコントローラに送出する、外部コネクタと、を備え、
前記補助プロセッサは、前記カードプロセッサによって実行されるアプリケーションの実行に実質的に関与しない、メディアプレーヤ。
【手続補正書】
【提出日】平成19年6月5日(2007.6.5)
【手続補正１】
【補正対象書類名】特許請求の範囲
【補正対象項目名】全文
【補正方法】変更
【補正の内容】
【特許請求の範囲】
【請求項１】
感光性材料と、
前記感光性材料中に分散せしめられたセラミック微粒子と、
少なくとも１個のリン原子を少なくとも１個の−ＯＨ基とともに有するリン系化合物を含む第１の界面活性剤と、
スルホン酸基を有するスルホン酸系化合物を含む第２の界面活性剤とを含んでなることを特徴とする前駆ペースト。
【請求項２】
前記ペーストは、２２℃で１，５００〜２０，０００ｃｐｓの粘度を有していることを特徴とする請求項１に記載の前駆ペースト。
【請求項３】
前記セラミック微粒子は、６０〜９０重量％の量で存在していることを特徴とする請求項１に記載の前駆ペースト。
【請求項４】
前記ペーストは、
感光性樹脂                                        ５〜１５重量部、
セラミック微粒子                                ６０〜９０重量部、
リン系化合物からなる第１の界面活性剤        ０．１〜１．０重量部、
スルホン酸系化合物からなる第２の界面活性剤  ０．１〜１．０重量部、
希釈剤                                            ５〜１５重量部、及び
光重合開始剤                            ０．０２〜０．２５重量部、
を含むことを特徴とする請求項１〜３のいずれか１項に記載の前駆ペースト。
【請求項５】
基板と、該基板の表面に形成された所定の形状及び寸法を有する突起パターンとを備えた物品であって、前記突起パターンが、請求項１〜４のいずれか１項に記載の前駆ペーストの光硬化によって成形されたものであることを特徴とする物品。
【請求項６】
物品を製造する方法であって、
形成されるべき突起パターンに対応する形状及び寸法を有する溝パターンを備えた可とう性成形型を用意することと、
前記成形型の溝に請求項１〜４のいずれか１項に記載の前駆ペーストを充填することと、
前記成形型を基板上にラミネートすることと、
前記ペーストを光硬化させることと、
前記成形型を取り去ることと、
を含んでなることを特徴とする物品の製造方法。
【手続補正２】
【補正対象書類名】明細書
【補正対象項目名】発明の名称
【補正方法】変更
【補正の内容】
【発明の名称】前駆ペースト、物品及びその製造方法
【手続補正書】
【提出日】平成19年5月9日(2007.5.9)
【手続補正１】
【補正対象書類名】特許請求の範囲
【補正対象項目名】全文
【補正方法】変更
【補正の内容】
【特許請求の範囲】
【請求項１】
事前定義されたプロトコルに従って、無線メッセージを送受信するように動作可能な、複数の再使用可能な電子モジュールから、電子製品を製造するための方法であり、各モジュールは、該モジュールの能力を記述する記述データを含み、少なくとも１つのモジュールは、製品イントラネットを確立し、調整するように動作可能な１次モジュールである、方法において、
前記製品に必要とされるモジュール群を記述する製品イントラネット青写真を提供すること、
モジュールのそれぞれの記述データおよび前記製品青写真に基づき、１次モジュールを含む前記製品のためのモジュール群を選択すること、および
前記選択されたモジュール群を含む製品イントラネットを確立し、該イントラネットにより、前記製品が、少なくとも部分的に動作することを含む方法。
【請求項２】
前記製品青写真は、前記１次モジュールのための製品プログラムコードをさらに含み、前記青写真は、前記製品イントラネットを確立するのに先立って、前記１次モジュールにアップロードされる請求項１に記載の方法。
【請求項３】
前記モジュール群は、一意識別子を含み、前記製品イントラネットを前記確立することは、前記１次モジュールが、ネットワーク識別子をその他の選択されたモジュール群の前記識別子と無線で交換して、前記モジュール群を登録することを含む請求項１または２に記載の方法。
【請求項４】
前記選択されたモジュール群は、前記イントラネットを確立するのに先立って、遮蔽された領域内に配置されて、選択されたモジュール群だけが、前記イントラネット内に含まれることを確実にする請求項１、２、または３に記載の方法。
【請求項５】
前記モジュール群は、前記選択することの後に、製品筐体内に実質的に配置される請求項４に記載の方法。
【請求項６】
前記モジュール群の前記送信電力は、前記製品イントラネットの前記範囲に制限するように低減される請求項５に記載の方法。
【請求項７】
前記イントラネットの前記範囲は、１センチメートルから１メートルまでの間である請求項６に記載の方法。
【請求項８】
前記製品筐体は、前記イントラネットの前記範囲を実質的に前記筐体内に制限するシールドを含む請求項５に記載の方法。
【請求項９】
メッセージを送受信するためのトランシーバ手段をそれぞれが有する、複数の電子モジュールを有する筐体を含む電子製品であって、
前記モジュール群の少なくとも１つのモジュールは、
製品イントラネット青写真を格納するための手段と、
前記青写真に従って製品イントラネットを確立するための手段とを有する１次モジュールである電子製品。
【請求項１０】
前記トランシーバ手段の電力出力を制御するための制御手段をさらに含む請求項９に記載の電子製品。
【請求項１１】
前記制御手段は、プログラマブル減衰器をさらに含む請求項１０に記載の電子製品。
【請求項１２】
請求項１から８のいずれかの方法に従って製造された電子製品。
【請求項１３】
製品イントラネット青写真を受信するためのトランシーバ手段と、
モジュール記述データを格納するため、および前記青写真を格納するためのストレージ手段と、
前記青写真に従って製品イントラネットを確立するための手段とを含む電子モジュール。
【請求項１４】
前記イントラネットが動作する範囲を制限するように前記トランシーバ手段を制御するための制御手段をさらに含む請求項１３に記載のモジュール。
【請求項１５】
キーパッド部をさらに含む請求項１３または１４に記載のモジュール。
【請求項１６】
ディスプレイ部をさらに含む請求項１３から１５のいずれか一項に記載のモジュール。
【請求項１７】
リサイクル可能な電子製品にアップロードするための、前記製品に関するモジュール要件を記述するデータを含む製品イントラネット青写真。
【請求項１８】
前記製品を動作させるための製品機能コードをさらに含む請求項１７に記載の製品イントラネット青写真。
【手続補正書】
【提出日】平成19年5月7日(2007.5.7)
【手続補正１】
【補正対象書類名】特許請求の範囲
【補正対象項目名】全文
【補正方法】変更
【補正の内容】
【特許請求の範囲】
【請求項１】
回路モジュールを設計する方法であって、
モジュールの複数の回路設計を生成するステップであって、前記複数の回路設計が異なる複数のレイテンシを備える前記モジュールに対応してるステップと、
前記複数の回路設計の複数の許容できるクロックを決定するステップであって、前記複数の許容できるクロックのそれぞれが前記複数の回路設計のうちの対応する１つの実行可能なクロック周期を表すステップと、
前記複数の許容できるクロックを前記異なる複数のレイテンシに関連付けるための設計データを生成するステップと
を含む方法。
【請求項２】
回路を設計する方法であって、
前記回路の設計の目的のクロックを選択するステップと、
前記目的のクロックに基づいて前記回路の一部分のデータ・フロー・グラフの表現を決定するステップと、
前記データ・フロー・グラフの前記表現を使用して前記目的のクロックの前記設計をリタイミングするステップと
を含む方法。
【請求項３】
回路を設計する方法であって、
前記回路の設計の目的のクロックを選択するステップと、
前記目的のクロックの前記回路の前記設計の一部分をリタイミングして第１の結果を生成するステップと、
前記第１の結果を使用して前記目的のクロックの前記設計をリタイミングするステップと
を含む方法。
【請求項４】
デジタル処理システムによって実行されると、前記システムに、回路モジュールを設計する方法を実行させる実行可能コンピュータ・プログラム命令を含む機械可読媒体であって、前記方法は、
モジュールの複数の回路設計を生成するステップであって、前記複数の回路設計が異なる複数のレイテンシを備える前記モジュールに対応するステップと、
前記複数の回路設計の複数の許容できるクロックを決定するステップであって、前記複数の許容できるクロックのそれぞれが前記複数の回路設計のうちの対応する１つの実行可能なクロック周期を表すステップと、
前記複数の許容できるクロックを前記異なる複数のレイテンシに関連付けるための設計データを生成するステップと
を含む機械可読媒体。
【請求項５】
デジタル処理システムによって実行されると、前記システムに、回路を設計する方法を実行させる実行可能コンピュータ・プログラム命令を含む機械可読媒体であって、前記方法は、
前記回路の設計の目的のクロックを選択するステップと、
前記目的のクロックに基づいて前記回路の一部分のデータ・フロー・グラフの表現を決定するステップと、
前記データ・フロー・グラフの前記表現を使用して前記目的のクロックの前記設計をリタイミングするステップと
を含む機械可読媒体。
【請求項６】
デジタル処理システムによって実行されると、前記システムに、回路を設計する方法を実行させる実行可能コンピュータ・プログラム命令を含む機械可読媒体であって、前記方法は、
前記回路の設計の目的のクロックを選択するステップと、
前記目的のクロックの前記回路の前記設計の一部分をリタイミングして第１の結果を生成するステップと、
前記第１の結果を使用して前記目的のクロックの前記設計をリタイミングするステップと
を含む機械可読媒体。
【請求項７】
回路モジュールを設計するデータ処理システムであって、
モジュールの複数の回路設計を生成する手段であって、前記複数の回路設計が異なる複数のレイテンシを備える前記モジュールに対応する手段と、
前記複数の回路設計の複数の許容できるクロックを決定する手段であって、前記複数の許容できるクロックのそれぞれが前記複数の回路設計のうちの対応する１つの実行可能なクロック周期を表す手段と、
前記複数の許容できるクロックを前記異なる複数のレイテンシに関連付けるための設計データを生成する手段と
を含むデータ処理システム。
【請求項８】
回路を設計するデータ処理システムであって、
前記回路の設計の目的のクロックを選択する手段と、
前記目的のクロックに基づいて前記回路の一部分のデータ・フロー・グラフの表現を決定する手段と、
前記データ・フロー・グラフの前記表現を使用して前記目的のクロックの前記設計をリタイミングする手段と
を含むデータ処理システム。
【請求項９】
回路を設計するデータ処理システムであって、
前記回路の設計の目的のクロックを選択する手段と、
前記目的のクロックの前記回路の前記設計の一部分をリタイミングして第１の結果を生成する手段と、
前記第１の結果を使用して前記目的のクロックの前記設計をリタイミングする手段と
を含むデータ処理システム。
【手続補正書】
【提出日】平成19年5月11日(2007.5.11)
【手続補正１】
【補正対象書類名】特許請求の範囲
【補正対象項目名】請求項１５
【補正方法】変更
【補正の内容】
【請求項１５】
請求項１４に記載の記憶媒体に情報を書込むまたは記憶媒体から情報を読取るための記憶書込み／読取り装置であって、当該記憶書込み／読取り装置は、請求項１乃至７のいずれか一項に記載の方法を実行するように構成され、
当該記憶書込み／読取り装置は、書込みプロセスまたは読取りプロセス中に複数の再キャリブレーションプロセスを実行するように構成される制御回路を有し、
前記制御回路は、読取りプロシージャまたは書込みプロシージャが新しいディスクゾーンに入ったかどうかをチェックするステップを実行する場合に前記記憶媒体から前記ディスクゾーンの規定に関する情報を参照するように構成されることを特徴とする記憶書込み／読取り装置。
【手続補正２】
【補正対象書類名】特許請求の範囲
【補正対象項目名】請求項１６
【補正方法】変更
【補正の内容】
【請求項１６】
当該記憶書込み／読取り装置は、ディスクゾーンの規定に関する情報を含むためのゾーンメモリを有し、
前記制御回路は、前記記憶媒体から前記ディスクゾーンの規定に関する情報を読取り、前記ゾーンメモリに該ディスクゾーンの規定に関する情報を記憶するように構成されることを特徴とする請求項１５に記載の記憶書込み／読取り装置。
【誤訳訂正書】
【提出日】平成19年9月11日(2007.9.11)
【誤訳訂正１】
【訂正対象書類名】明細書
【訂正対象項目名】請求項１２
【訂正方法】変更
【訂正の内容】
【請求項１２】  生産品が、押出物品の異形材、チューブ、テープ、又はフィルムを含んでなる請求項９に記載の生産品。
【手続補正書】
【提出日】平成19年3月30日(2007.3.30)
【手続補正１】
【補正対象書類名】明細書
【補正対象項目名】特許請求の範囲
【補正方法】変更
【補正の内容】
【特許請求の範囲】
【請求項１】  以下の段階を含む、抗原特異的T細胞を産生する方法：
a）  第一の細胞が自己樹状細胞であって、第二の細胞が腫瘍細胞およびウイルス感染細胞を含む群より選択される、少なくとも１つの第一の細胞を少なくとも１つの第二の細胞とインビトロで組み合わせる段階；
b）  段階a）の組合せに自己T細胞を加える段階；
c）  段階b）の混合物を培養する段階；および
d）  段階c）の混合物からT細胞を回収する段階。
【請求項２】  樹状細胞が、皮膚表皮ランゲルハンス細胞、皮膚樹状細胞、リンパ節樹状細胞、脾臓樹状細胞、前駆細胞のインビトロ培養に由来する樹状細胞および血液由来樹状細胞を含む群より選択される、請求項１記載の方法。
【請求項３】  第二の細胞が自己細胞および同種異系細胞を含む群より選択される、請求項１記載の方法。
【請求項４】  腫瘍細胞が黒色腫癌細胞、肺癌細胞、前立腺癌細胞、乳癌細胞、結腸癌細胞、および子宮頚癌細胞を含む群より選択される、請求項１記載の方法。
【請求項５】  ウイルス感染細胞が、インフルエンザウイルス、ヒト免疫不全ウイルス、サイトメガロウイルス、ヒト乳頭腫ウイルス、および単純ヘルペスウイルスに感染した細胞を含む群より選択される、請求項１記載の方法。
【請求項６】  第一の細胞と第二の細胞が融合してハイブリドーマが作製される、請求項１記載の方法。
【請求項７】  ハイブリドーマが第一の細胞対第二の細胞を約１：100〜100：１の比で含む、請求項６記載の方法。
【請求項８】  ハイブリドーマが第一の細胞対第二の細胞を約６：１の比で含む、請求項６記載の方法。
【請求項９】  第一の細胞および第二の細胞が同時培養される、請求項１記載の方法。
【請求項１０】  同時培養が第一の細胞対第二の細胞を約１：100〜100：１の比で含む、請求項９記載の方法。
【請求項１１】  同時培養が第一の細胞対第二の細胞を約６：１の比で含む、請求項９記載の方法。
【請求項１２】  T細胞がT細胞対樹状細胞の比約10：１〜100：１で加えられる、請求項１記載の方法。
【請求項１３】  T細胞が非刺激T細胞前駆体である、請求項１記載の方法。
【請求項１４】  請求項１の方法に従って調製された抗原特異的T細胞。
【請求項１５】  樹状細胞が、皮膚表皮ランゲルハンス細胞、皮膚樹状細胞、リンパ節樹状細胞、脾臓樹状細胞、前駆細胞のインビトロ培養に由来する樹状細胞および血液由来樹状細胞を含む群より選択される、請求項14記載のT細胞。
【請求項１６】  第二の細胞が自己細胞と同種異系細胞とを含む群より選択される、請求項14記載のT細胞。
【請求項１７】  腫瘍細胞が、黒色腫細胞、肺癌細胞、前立腺癌細胞、乳癌細胞、結腸癌細胞、および子宮頚癌細胞を含む群より選択される、請求項14記載のT細胞。
【請求項１８】  ウイルス感染細胞が、インフルエンザウイルス、ヒト免疫不全ウイルス、サイトメガロウイルス、ヒト乳頭腫ウイルス、および単純ヘルペスウイルスに感染した細胞を含む群より選択される、請求項14記載のT細胞。
【請求項１９】  樹状細胞が血液由来樹状細胞であって、腫瘍細胞が自己腫瘍の単細胞懸濁液を得てもよい細胞である、請求項15記載のT細胞。
【請求項２０】  以下の段階を含む宿主において免疫治療を行う方法：
該宿主に請求項14記載のT細胞の有効量を投与する段階。
【請求項２１】  第二の細胞が腫瘍細胞であって、投与によって、宿主において腫瘍細胞に対する免疫治療が行われる、請求項20記載の方法。
【請求項２２】  第二の細胞がウイルス感染細胞であって、投与によって宿主においてウイルス感染細胞に対する免疫治療が行われる、請求項20記載の方法。
【請求項２３】  樹状細胞が、皮膚表皮ランゲルハンス細胞、皮膚樹状細胞、リンパ節樹状細胞、脾臓樹状細胞、前駆細胞のインビトロ培養に由来する樹状細胞および血液由来樹状細胞を含む群より選択される、請求項20記載の方法。
【請求項２４】  腫瘍細胞が、黒色腫細胞、肺癌細胞、前立腺癌細胞、乳癌細胞、結腸癌細胞、および子宮頚癌細胞を含む群より選択される、請求項20記載の方法。
【請求項２５】  ウイルス感染細胞が、インフルエンザウイルス、ヒト免疫不全ウイルス、サイトメガロウイルス、ヒト乳頭腫ウイルス、および単純ヘルペスウイルスに感染した細胞を含む群より選択される、請求項22記載の方法。
【請求項２６】  T細胞が適した薬学的担体に含まれる、請求項20記載の方法。
【請求項２７】  有効量が細胞1011個またはそれ未満である、請求項20記載の方法。
【請求項２８】  以下の段階を含む、抗原を同定する方法：
a）  腫瘍細胞から抽出したペプチドを抗原提示細胞にローディングする段階；
b）  請求項14記載のT細胞に対する抗原提示細胞の反応性を分析する段階；および
c）  T細胞によって認識されるペプチドを同定する段階。
【請求項２９】  以下の段階をさらに含む、請求項28記載の方法：
d）  段階c）の個々のペプチドをシークエンシングする段階。
【請求項３０】  以下の段階をさらに含む、請求項29記載の方法：
e）  段階d）の配列に対応する合成ペプチドを調製する段階。
【請求項３１】  以下の段階をさらに含む、請求項30記載の方法：
f）  段階e）の合成ペプチドを含む製剤を調製する段階。
【請求項３２】  以下の段階を含む、抗原を同定する方法：
a）  腫瘍由来DNAまたは腫瘍由来cDNAを細胞にトランスフェクトする段階；
b）  請求項14記載のT細胞によって認識されうるか否かに関して段階a）のトランスフェクトした細胞をスクリーニングする段階；および
c）  段階b）の認識された細胞からトランスフェクトしたDNAまたはcDNAを抽出する段階。
【請求項３３】  以下の段階をさらに含む、請求項32記載の方法：
d）  段階c）の抽出されたDNAをシークエンシングする段階。
【請求項３４】  以下の段階をさらに含む、請求項33記載の方法：
e）  段階d）の配列に対応する合成ペプチドを調製する段階。
【請求項３５】  以下の段階をさらに含む、請求項34記載の方法：
f）  段階e）の合成ペプチドを含む製剤を調製する段階。
【請求項３６】  請求項14記載の１つまたはそれ以上のT細胞を担癌宿主に移入する段階を含む、免疫治療を調べるための動物モデルを作製する方法。
【手続補正書】
【提出日】平成18年12月28日(2006.12.28)
【手続補正１】
【補正対象書類名】明細書
【補正対象項目名】特許請求の範囲
【補正方法】変更
【補正の内容】
【特許請求の範囲】
【請求項１】  体重増加または飼料効率を低下させることなく動物の体脂肪を減少させる方法であって、前記方法は、家畜学的方法として、前記動物に、９−シス，１１−トランス共役リノール酸および１０−トランス，１２−シス共役リノール酸の異性体を含有してなる組成物を投与することからなり、該組成物は、１０−トランス，１２−シス共役リノール酸異性体よりも多くの９−シス，１１−トランス共役リノール酸異性体を含有してなることを特徴とする前記方法。
【請求項２】  前記異性体が飼料で動物に経口投与されることを特徴とする請求項１に記載の方法。
【請求項３】  前記異性体のうちの少なくとも１つを、該異性体の無毒の塩として、該異性体の活性エステルとして、またはそれらの混合物として投与することを特徴とする請求項１に記載の方法。
【請求項４】  前記動物が、げっ歯類、哺乳動物または鳥類動物であることを特徴とする請求項１に記載の方法。
【請求項５】  前記哺乳動物が、ウシ、ヒツジ、ヤギまたは霊長類であることを特徴とする請求項４に記載の方法。
【請求項６】  前記鳥類動物が、ニワトリ、アヒル、シチメンチョウまたはウズラであることを特徴とする請求項４に記載の方法。
【請求項７】  前記の９−シス，１１−トランス共役リノール酸と１０−トランス，１２−シス共役リノール酸の異性体の比が、１．５：１以上であることを特徴とする請求項１に記載の方法。
【請求項８】  前記の９−シス，１１−トランス共役リノール酸と１０−トランス，１２−シス共役リノール酸の異性体の比が、２：１以上であることを特徴とする請求項７に記載の方法。
【請求項９】  前記の９−シス，１１−トランス共役リノール酸と１０−トランス，１２−シス共役リノール酸の異性体の比が、１０：１以上であることを特徴とする請求項８に記載の方法。
【請求項１０】  前記の９−シス，１１−トランス共役リノール酸と１０−トランス，１２−シス共役リノール酸の異性体の比が、２０：１以上であることを特徴とする請求項９に記載の方法。
【請求項１１】  ９−シス，１１−トランス共役リノール酸および１０−トランス，１２−シス共役リノール酸の異性体を含有してなる組成物であって、前記の９−シス，１１−トランス共役リノール酸と１０−トランス，１２−シス共役リノール酸の異性体が、２：１以上の比で存在することを特徴とする前記組成物。
【請求項１２】  前記異性体のうちの少なくとも１つが、該異性体の無毒の塩、該異性体の活性エステルまたはそれらの混合物であることを特徴とする請求項１１に記載の組成物。
【請求項１３】  前記の９−シス，１１−トランス共役リノール酸と１０−トランス，１２−シス共役リノール酸の異性体が、１０：１以上の比で存在することを特徴とする請求項１１に記載の組成物。
【請求項１４】  前記の９−シス，１１−トランス共役リノール酸と１０−トランス，１２−シス共役リノール酸の異性体が、２０：１以上の比で存在することを特徴とする請求項１１に記載の組成物。
【請求項１５】  体重増加または飼料効率を低下させることなく体脂肪を減少させるための薬学的または獣医学的組成物の製造における、９−シス，１１−トランス共役リノール酸と１０−トランス，１２−シス共役リノール酸の異性体の２：１以上の比での使用。
【請求項１６】  前記の比が１０：１以上であることを特徴とする請求項１５に記載の使用。
【請求項１７】  前記の比が２０：１以上であることを特徴とする請求項１６に記載の使用。
【請求項１８】  前記異性体のうちの少なくとも１つが、該異性体の無毒の塩、該異性体の活性エステル、又はそれらの混合物であることを特徴とする請求項１５に記載の使用。
【手続補正書】
【提出日】平成19年3月22日(2007.3.22)
【手続補正１】
【補正対象書類名】明細書
【補正対象項目名】特許請求の範囲
【補正方法】変更
【補正の内容】
【特許請求の範囲】
【請求項１】  軟組織の癒着、固定、支持、修復または強化のための生分解性の医療用インプラントであって、該インプラントは、ポリ−４−ヒドロキシブチレートポリマー組成物を含み、
ここで、該ポリ−４−ヒドロキシブチレートポリマー組成物は、必要に応じて、該ポリマーの化学的安定性を変更する添加物を含み、
ここで、該ポリ−４−ヒドロキシブチレートポリマーは、１０，０００ダルトン〜１０，０００，０００ダルトンの間の範囲の重量平均分子量を有し、
ここで、該インプラントは、縫合ファスナー、半月板修復デバイス；リベット；タック；Ｉｎｔｅｒｆｅｒｅｎｃｅ  Ｓｃｒｅｗ；軟組織の強化のため軟組織インプラントのため、顔面欠陥のブリッジングのため、気管もしくは他の臓器のパッチのため、臓器の再利用のため、硬膜の移植材料のため、創傷もしくは火傷のドレッシングのため、または止血用タンポンのための外科用メッシュ；三角布；整形外科用ピン；癒着障壁；心血管ステント、消化管ステント、または尿管ステント；関節軟骨修復デバイス；神経ガイド；腱修復デバイス、心房中隔欠陥修復デバイス；血管パッチ移植、心臓内パッチング、または動脈内膜切除後のパッチ閉合のための心血管パッチ；腹壁および胸壁の欠陥、鼠径部、結腸付近、腹部、臍部付近、陰嚢もしくは大腿部の修復のため、筋肉フラップ強化のため、ステープルラインおよび長い切開部の強化のため、骨盤床の再構成のため、直腸および膣の脱出の修復のため；縫合およびステープルのボルスターのため、尿道もしくは膀胱の修復のため、または綿球のための修復パッチからなる群より選択される、インプラント。
【請求項２】  前記ポリ−４−ヒドロキシブチレートポリマー組成物の分解速度が、該ポリ−４−ヒドロキシブチレートポリマー組成物の多孔性を増大することにより制御されている、請求項１に記載のインプラント。
【請求項３】  請求項１に記載のインプラントであって、前記ポリ−４−ヒドロキシブチレートポリマー組成物が、該組成物による水の取り込みを変更する親水性物質、疎水性物質および被覆からなる群より選択される添加物を含む、インプラント。
【請求項４】  前記ポリマーの化学的安定性を変更する添加物を含む、請求項１に記載のインプラント。
【請求項５】  前記添加物が、鎖の切断を促進する、請求項４に記載のインプラント。
【請求項６】  前記添加物が、酸、塩基、求電子試薬、求核試薬、可塑剤、ポリマー、細孔形成剤、および前記ポリマーの結晶化度を低下するように設計した薬剤からなる群より選択される、請求項４に記載のインプラント。
【請求項７】  細孔形成剤を含む、請求項１に記載のインプラント。
【請求項８】  前記細孔形成剤が凍結乾燥可能な粒子である、請求項７に記載のインプラント。
【請求項９】  前記細孔形成剤が、水を吸収する、請求項７に記載のインプラント。
【請求項１０】  軟組織の癒着、固定、支持、修復または強化のための生分解性の医療用インプラントを作製する方法であって、該インプラントは、ポリ−４−ヒドロキシブチレートポリマー組成物を含み、
ここで、該ポリ−４−ヒドロキシブチレートポリマー組成物は、必要に応じて、該ポリマーの化学的安定性を変更する添加物を含み、
ここで、該ポリ−４−ヒドロキシブチレートポリマーは、１０，０００ダルトン〜１０，０００，０００ダルトンの間の範囲の重量平均分子量を有し、
該方法は、
ポリ（４−ヒドロキシブチレート）ポリマー組成物を提供する工程、および
該ポリ（４−ヒドロキシブチレート）ポリマー組成物をインプラントに形成するかまたは組み込む工程であって、該インプラントは、縫合ファスナー、半月板修復デバイス；リベット；タック；Ｉｎｔｅｒｆｅｒｅｎｃｅ  Ｓｃｒｅｗ；軟組織の強化のため軟組織インプラントのため、顔面欠陥のブリッジングのため、気管もしくは他の臓器のパッチのため、臓器の再利用のため、硬膜の移植材料のため、創傷もしくは火傷のドレッシングのため、または止血用タンポンのための外科用メッシュ；三角布；整形外科用ピン；癒着障壁；心血管ステント、消化管ステント、または尿管ステント；関節軟骨修復デバイス；神経ガイド；腱修復デバイス、心房中隔欠陥修復デバイス；血管パッチ移植、心臓内パッチング、または動脈内膜切除後のパッチ閉合のための心血管パッチ；腹壁および胸壁の欠陥の修復、鼠径部、結腸付近、腹部、臍部付近、陰嚢もしくは大腿部のため、筋肉フラップ強化のため、ステープルラインおよび長い切開部の強化のため、骨盤床の再構成のため、直腸および膣の脱出の修復のため；縫合およびステープルのボルスターのため、尿道もしくは膀胱の修復のため、または綿球のための修復パッチからなる群より選択される、工程
を包含する、方法。
【請求項１１】  前記リベットまたはタックは、ＳＬＡＰ外傷修復、肩峰−鎖骨分離修復、回旋筋腱板修復、莢膜シフトもしくは水晶体嚢胞の再構成、二頭筋の腱固定、または三角筋の修復のためのデバイスであり、前記外科用メッシュは、腹腱膜、腹壁、顔面もしくは莢膜の欠陥の修復のため、膝蓋もしくはアキレス腱の修復のため、または棘下筋腱もしくは頭蓋十字靭帯の強化のためである、請求項１に記載のインプラントまたは請求項１０に記載の方法。
【請求項１２】  前記インプラントが、治療用薬剤、予防薬剤または診断用薬剤をさらに含む、請求項１に記載のインプラント。
【請求項１３】  前記治療用薬剤、予防薬剤または診断用薬剤が、遺伝子、オリゴヌクレオチド、核酸、アンチセンス分子、リボザイム、遺伝子治療における使用のためのレトロウイルスベクター、抗体およびそのフラグメント、細胞接着因子、レセプターリガンド、酵素、接着ペプチド、糖類、多糖類、合成有機薬物もしくは合成無機薬物、血液凝固因子、血液凝固インヒビター、血栓溶解薬剤、免疫化のための抗原、ホルモン、成長因子、ならびにＸ線、蛍光、磁気共鳴画像化、放射能、超音波、コンピューター断層撮影法（ＣＴ）または陽電子放出断層撮影法（ＰＥＴ）で検出可能な診断用薬剤からなる群より選択される、請求項１２に記載のインプラント。
【請求項１４】  前記血栓溶解薬剤が、ストレプトキナーゼおよび組織プラスミノゲン賦活剤からなる群より選択され；前記多糖類がヘパリンであり；前記オリゴヌクレオチドがアンチセンスオリゴヌクレオチドであり；超音波で検出可能な前記診断用薬剤が、アルゴン、酸素および過フルオロカーボンからなる群より選択される、請求項１３に記載のインプラント。
【請求項１５】  前記ポリマーが細胞または組織をカプセル化する、請求項１に記載のインプラント。
【手続補正書】
【提出日】平成19年2月22日(2007.2.22)
【手続補正１】
【補正対象書類名】明細書
【補正対象項目名】特許請求の範囲
【補正方法】変更
【補正の内容】
【特許請求の範囲】
【請求項１】  目の水晶体を通して、視覚データを光学的に送出し、かつパワーを電気的に送出する、生体の外側の、外部装置と、
前記視覚データ及び前記パワーを受取る、生体内の移植に適する、移植用装置と、及び
視覚ニューロンに隣接した移植に適し、かつ視像の知覚を生成するために前記視覚データにより該視覚ニューロンを刺激するのに適する、前記移植用装置に電気的に結合され、かつ当該移植用装置によって駆動される、複数の電極と、
を備えていることを特徴とする視覚補装具。
【請求項２】  前記視覚データを生成するためのビデオ・キャプチャ装置を更に備えていることを特徴とする請求項１に記載の視覚補装具。
【請求項３】  前記移植用装置は、目の内の移植に適することを特徴とする請求項１に記載の視覚補装具。
【請求項４】  前記外部装置に複数の発光素子を更に備えていることを特徴とする請求項２に記載の視覚補装具。
【請求項５】  前記移植用装置は、遠隔測定信号を送信しかつ前記外部装置は、該遠隔測定信号を受信することを特徴とする請求項２に記載の視覚補装具。
【請求項６】  遠隔測定信号を光学的に送信することを特徴とする請求項５に記載の視覚補装具。
【請求項７】  遠隔測定信号を電気的に送信することを特徴とする請求項５に記載の視覚補装具。
【請求項８】  非線形関数により増幅された視覚データを光学的に送出し、かつパワーを電気的に送出する、生体の外側の、外部装置と、
前記視覚データ及び前記パワーを受取る、生体内の移植に適する、移植用装置と、及び
視覚ニューロンに隣接した移植に適し、かつ視像の知覚を生成するために前記視覚データにより該視覚ニューロンを刺激するのに適する、前記移植用装置に電気的に結合され、かつ当該移植用装置によって駆動される、複数の電極と、
を備えていることを特徴とする視覚補装具。
【請求項９】  目の水晶体を通して、遠隔測定信号を光学的に送出する、生体内の移植に適する、移植用装置と、
視覚ニューロンに隣接した移植に適し、かつ視像の知覚を生成するために前記視覚データにより該視覚ニューロンを刺激するのに適する、前記移植用装置に電気的に結合され、かつ当該移植用装置によって駆動される、複数の電極と、及び
前記視覚データを送出し、かつ前記遠隔測定信号を受取る、生体の外側の、外部装置と、
を備えていることを特徴とする視覚補装具。
【請求項１０】  前記遠隔測定信号は、電圧を含むことを特徴とする請求項９に記載の視覚補装具。
【請求項１１】  電極電流を含んでいる遠隔測定信号を光学的に送出する、生体内の移植に適する、移植用装置と、
視覚ニューロンに隣接した移植に適し、かつ視像の知覚を生成するために前記視覚データにより該視覚ニューロンを刺激するのに適する、前記移植用装置に電気的に結合され、かつ当該移植用装置によって駆動される、複数の電極と、及び
前記視覚データを送出し、かつ前記遠隔測定信号を受取る、生体の外側の、外部装置と、
を備えていることを特徴とする視覚補装具。
【請求項１２】  遠隔測定信号電極インピーダンスを光学的に送出する、生体内の移植に適する、移植用装置と、
視覚ニューロンに隣接した移植に適し、かつ視像の知覚を生成するために前記視覚データにより該視覚ニューロンを刺激するのに適する、前記移植用装置に電気的に結合され、かつ当該移植用装置によって駆動される、複数の電極と、及び
前記視覚データを送出し、かつ前記遠隔測定信号を受取る、生体の外側の、外部装置と、
を備えていることを特徴とする視覚補装具。
【請求項１３】  所定のコンプライアンス電圧に達したか否かを含んでいる遠隔測定信号を光学的に送出する、生体内の移植に適する、移植用装置と、
視覚ニューロンに隣接した移植に適し、かつ視像の知覚を生成するために前記視覚データにより該視覚ニューロンを刺激するのに適する、前記移植用装置に電気的に結合され、かつ当該移植用装置によって駆動される、複数の電極と、及び
前記視覚データを送出し、かつ前記遠隔測定信号を受取る、生体の外側の、外部装置と、
を備えていることを特徴とする視覚補装具。
【請求項１４】  視覚ニューロンから記録を含んでいる遠隔測定信号を光学的に送出する、生体内の移植に適する、移植用装置と、
視覚ニューロンに隣接した移植に適し、かつ視像の知覚を生成するために前記視覚データにより該視覚ニューロンを刺激するのに適する、前記移植用装置に電気的に結合され、かつ当該移植用装置によって駆動される、複数の電極と、及び
前記視覚データを送出し、かつ前記遠隔測定信号を受取る、生体の外側の、外部装置と、
を備えていることを特徴とする視覚補装具。
【請求項１５】  前記記録は、電気的記録であることを特徴とする請求項１４に記載の視覚補装具。
【請求項１６】  受取ったパワーを含んでいる遠隔測定信号を光学的に送出する、生体内の移植に適する、移植用装置と、
視覚ニューロンに隣接した移植に適し、かつ視像の知覚を生成するために前記視覚データにより該視覚ニューロンを刺激するのに適する、前記移植用装置に電気的に結合され、かつ当該移植用装置によって駆動される、複数の電極と、及び
前記視覚データを送出し、かつ前記遠隔測定信号を受取る、生体の外側の、外部装置と、
を備えていることを特徴とする視覚補装具。
【請求項１７】  生体内の移植に適する、移植用装置であり、遠隔測定信号を光学的に送出する、該移植用装置上に複数の発光素子を更に備えている、該移植用装置と、
視覚ニューロンに隣接した移植に適し、かつ視像の知覚を生成するために前記視覚データにより該視覚ニューロンを刺激するのに適する、前記移植用装置に電気的に結合され、かつ当該移植用装置によって駆動される、複数の電極と、及び
前記視覚データを送出し、かつ前記遠隔測定信号を受取る、生体の外側の、外部装置と、
を備えていることを特徴とする視覚補装具。
【手続補正書】
【提出日】平成19年3月26日(2007.3.26)
【手続補正１】
【補正対象書類名】明細書
【補正対象項目名】特許請求の範囲
【補正方法】変更
【補正の内容】
【特許請求の範囲】
【請求項１】  ａ）符号化された超音波送信ビームを体内に送出し、
ｂ）当該送信ビームに応じて、身体から受信信号を獲得し、
ｃ）パルス圧縮関数によって特徴付けられる圧縮フィルタに当該受信信号を与え、そして
ｄ）イメージングモードで当該圧縮フィルタによって発生された圧縮受信信号をイメージ処理するステップを含み、
当該送信ビームが、それぞれのトランスジューサアパーチャ全体で空間的に一定の位相変調関数によって特徴付けられ、そして、
イメージングモードが、自動相関処理を用いたカラードップラーイメージング，パルス反転高調波ドップラーイメージング、スペクトルドップラーイメージング、ひずみイメージング、及びこれらの組合せを含む群から選択される医療診断超音波イメージング方法。
【請求項２】  第１コードで変調された第１セットのコード化された送信波形を発生するように作動し、第１送信ビームの方向に沿って第１送信ビームを形成するようにタイミングをとる少なくとも１つの第１パルス発生器と、
第２コードで変調された第２セットのコード化された送信波形を発生するように作動し、前記第１送信ビームの方向から空間的に異なる第２送信ビームの方向に沿って第２送信ビームを形成するようにタイミングをとる少なくとも１つの第２パルス発生器と、
前記第１及び第２パルス発生器のそれぞれと結合し、前記第１及び第２セットの非線形の位相変調送信波形の両方の発生を開始するように作動するコントローラと、
前記第１及び第２パルス発生の選択された１つと結合された複数のトランスジューサエレメントを備えたトランスジューサプローブと、
前記トランスジューサエレメントと結合された受信機であってそれぞれ異なる第１及び第２パルス圧縮関数により特徴づけられた第１及び第２圧縮フィルタを備えた受信機と、
を備えている医療診断超音波イメージングシステム。
【請求項３】  第１コードで変調された第１セットのコード化された送信波形を発生するように作動し、主要焦点で第１送信ビームを発生するようにタイミングをとる少なくとも１つの第１パルス発生器と、
前記第１コードとは異なる第２コードで変調された第２セットのコード化された送信波形を発生するように作動し、同様の焦点で第２送信ビームを形成するようにタイミングをとる少なくとも１つの第２パルス発生器と、
前記第１及び第２パルス発生器のそれぞれと結合し、前記第１及び第２セットのコード化された送信波形の両方の発生を開始するように作動するコントローラと、
前記第１及び第２パルス発生の選択された１つと結合された複数のトランスジューサエレメントを備えたトランスジューサプローブと、
前記トランスジューサエレメントと結合された受信機であってそれぞれ異なる第１及び第２パルス圧縮関数により特徴づけられた第１及び第２圧縮フィルタを備えた受信機と、
を備えている医療診断超音波イメージングシステム。